(57)【要約】ネットワークにおいて通信を容易にするためのシステム及び方法は、コンタクト・アドレスを有するモバイル・ユニットからメッセージを受信する段階（２０２）を含む。プロキシは前記モバイル・ユニット及び前記コンタクト・アドレスを関連付けるコンタクト・エイリアスを（２０４）の段階で確立する。（２０６）の段階で、前記プロキシは前記コンタクト・エイリアスを含む少なくとも一つの信号メッセージを傍受し識別する。プロキシは前記コンタクト・エイリアスを含む少なくとも一つの信号メッセージメッセージを圧縮する段階（２０８）を有する。前記圧縮された少なくとも一つの信号メッセージは前記コンタクト・アドレスを有する前記モバイル・ユニットに送信される段階（２１０）を有する。
2007520097.tif 000002
【特許請求の範囲】
【請求項１】
コンタクト・アドレスを有するモバイル・ユニットからメッセージを受信することと、
前記モバイル・ユニット及び前記コンタクト・アドレスに関連するコンタクト・エイリアスを確立することと、
前記コンタクト・エイリアスを含む少なくとも一つの信号メッセージを傍受及び識別することと、
前記コンタクト・エイリアスを含む少なくとも一つの信号メッセージを圧縮することと、
前記コンタクト・アドレスを有する前記モバイル・ユニットに前記圧縮された少なくとも一つの信号メッセージをルーティングすることと、
を備える、ネットワークにおける通信を容易にする方法。
【請求項２】
前記モバイル・ユニットに対する少なくとも一つの後半の信号メッセージを傍受及び識別することと、
前記モバイル・ユニットへの前記少なくとも一つの後半のメッセージに対応する第２のメッセージを送信しないことと、
前記少なくとも一つの後半のメッセージの受信に応答して応答メッセージを生成することと、
前記応答メッセージをサーバに送信することと、
を更に備える、請求項１に記載の方法。
【請求項３】
前記モバイル・ユニットからの前記メッセージが、ＳＩＰ  ＲＥＧＩＳＴＥＲメッセージ、ＳＩＰ  ＩＮＶＩＴＥメッセージ、ＳＩＰ  ＯＫメッセージ、ＳＩＰ  ＯＰＴＩＯＮメッセージ、及びＳＩＰ  ＢＹＥメッセージの一つである、請求項１に記載の方法。
【請求項４】
前記モバイル・ユニットから受信した信号メッセージを解凍することと、解凍された信号メッセージをサーバへ転送することと、を更に備える、請求項１に記載の方法。
【請求項５】
コンタクト・アドレスを有する前記モバイル・ユニットから前記メッセージを受信することは、該モバイル・ユニットが圧縮されたメッセージを処理することの指示を含む登録メッセージを受信することを備える、請求項１に記載の方法。
【請求項６】
コンタクト・アドレスを有する前記モバイル・ユニットから前記メッセージを受信することは、圧縮されたメッセージを処理する能力を示す性能ヘッダを受信することを含む、請求項１に記載の方法。
【請求項７】
信号メッセージ圧縮のためのプロキシの存在を前記モバイル・ユニットに通知することを更に備える、請求項１に記載の方法。
【請求項８】
信号メッセージを傍受及び識別する段階がＳＩＰメッセージを傍受及び識別することを含む、請求項１に記載の方法。
【請求項９】
モバイル・ユニットからコンタクト・アドレスを有するメッセージを送信することと、
前記コンタクト・アドレスを有する前記モバイル・ユニットからコンタクト・アドレスを有する前記メッセージを受信することと、
前記モバイル・ユニット及び前記コンタクト・アドレスに関連するコンタクト・エイリアスを確立することと、
前記コンタクト・エイリアスを含む少なくとも一つのＳＩＰメッセージを傍受及び識別することと、
を備える、通信を圧縮する方法。
【請求項１０】
少なくとも一つの圧縮されたメッセージを得るために前記コンタクト・エイリアスを含む少なくとも一つのＳＩＰメッセージを圧縮することと、
前記コンタクト・アドレスを有する前記モバイル・ユニットに、少なくとも一つの圧縮されたメッセージをルーティングすることと、
前記少なくとも一つの圧縮されたメッセージを前記モバイル・ユニットで受信することと、
を更に備える、請求項９に記載の方法。
【請求項１１】
前記コンタクト・アドレスを有する前記メッセージがＳＩＰ  ＲＥＧＩＳＴＥＲメッセージ、ＳＩＰ  ＩＮＶＩＴＥメッセージ、ＳＩＰ  ＯＫメッセージ、ＳＩＰ  ＢＹＥメッセージ、及びＳＩＰ  ＯＰＴＩＯＮメッセージの一つである、請求項９に記載の方法。
【請求項１２】
前記モバイル・ユニットから受信したＳＩＰメッセージを解凍することと、解凍されたＳＩＰメッセージをサーバへ転送することと、を更に備える、請求項９に記載の方法。
【請求項１３】
前記コンタクト・アドレスを有する前記メッセージは、前記モバイル・ユニットが圧縮されたメッセージを処理することの指示を含む、請求項９記載の方法。
【請求項１４】
ＳＩＰメッセージ圧縮のためのプロキシの存在を前記モバイル・ユニットに通知することを更に備える、請求項９に記載の方法。
【請求項１５】
モバイル・ユニットの認証を容易にするために前記モバイル・ユニットから認証情報を受信することを更に備える、請求項９に記載の方法。
【請求項１６】
前記少なくとも一つの圧縮されたメッセージがレガシーなセルラー呼設定メッセージである、請求項１０に記載の方法。
【請求項１７】
モバイル・ユニットのコンタクト・アドレスに関連するコンタクト・エイリアスを保存するエイリアス・レジスタと、
ＳＩＰメッセージを保存するＳＩＰレジスタであって、前記メッセージは、前記モバイル・ユニットのコンタクト・アドレスに関連する前記コンタクト・エイリアスに宛てられているとして識別可能であることと、
前記エイリアス・レジスタ及び前記ＳＩＰレジスタに接続され、且つ出力部を有するコントローラであって、前記コントローラはＳＩＰレジスタ内の前記ＳＩＰメッセージを圧縮して、前記圧縮されたＳＩＰメッセージを前記出力部に置くことと、
を備える、ネットワークにおいて通信を容易にするための装置。
【請求項１８】
前記コントローラが出力部にある圧縮されたＳＩＰメッセージを前記モバイル・ユニットに送信するための手段を備える、請求項１７に記載の装置。
【請求項１９】
前記コントローラが前記モバイル・ユニット宛のＳＩＰメッセージを受信するための手段を備える、請求項１７に記載の装置。
【請求項２０】
前記コントローラが前記エイリアス・レジスタの前記コンタクト・エイリアスを決定及び形成するための手段を備える、請求項１７に記載の装置。
【発明の詳細な説明】
【技術分野】
【０００１】
本発明は一般的に通信システムに関し、特に通信ネットワークにおけるメッセージ送信に関する。
【背景技術】
【０００２】
ネットワーク内及びネットワーク間で通信を送信するためのシステム及び方法はよく知られている。例えば、セルラーメッセージはセルラーネットワークを通じて受信され、情報のパケットに変換され、そしてパケット・データ・ネットワーク（ＰＤＮ）上で、様々な宛先に送信されることができる。
【０００３】
様々なタイプのプロトコルが、これらネットワークにまたがって各メッセージの前記送信を可能にするために利用される。前記プロトコルは、望ましい情報を信号化又は実際に送信するためのものである。信号化プロトコルの一つの例は、セッション開始プロトコル（ＳＩＰ）であり、これは、ＩＥＴＦのＲＦＣ  ３２６１に記載されており、ＰＤＮネットワークを通じて送信及び受信をするために使われる。ＳＩＰメッセージのある例において、ＩＮＶＩＴＥメッセージはユーザ又はユニットに対して呼に参加するように招待するために利用され、（ＲＩＮＧＩＮＧ，ＯＫ，ＡＣＫ及びＢＹＥのような）他のＳＩＰメッセージは呼を制御するために必要とされる。別の実施形態において、ＲＥＧＩＳＴＥＲメッセージはモバイル・ユニットが前記ネットワークにおいて特定のＩＰアドレスであることを登録するために利用される。
【０００４】
前記ＳＩＰプロトコルに従ったシステムはプロキシ又はエージェントを様々な処理機能を制御するために利用する。例えば、プロキシはモバイル・ユニットを識別するコンタクト・エイリアスを作成することがある。このコンタクト・エイリアスは前記ユニットがＲＥＧＩＳＴＥＲメッセージを前記プロキシに送信したときに作られることがある。処理後、前記モバイル・ユニットへ向かう全ての更なるメッセージ（例えば該モバイル・ユニットに対する全てのＩＮＶＩＴＥメッセージ）は、前記プロキシに送信される。
【発明の開示】
【発明が解決しようとする課題】
【０００５】
多くの上記システムに起こる一つの問題は、前記ネットワーク中の各地点間を送信される情報の量が、多くの場合大きくなり、その結果該ネットワークの動作を著しく遅くする。例えば、ＩＮＶＩＴＥメッセージの数はネットワークが動作している間、増殖することがある。メッセージ・ロードのレベルが大きくなると、ネットワーク・パフォーマンスの大幅な低下が起こることが知られている。無線インターフェイスのデータ転送速度は一般的に残りの前記ネットワークに比べて一般的に遅いので、この問題は、セルラー電話システムのような無線ネットワークにおいて特に深刻である。ある技術（例えばメッセージ圧縮）はコンピュータ・ネットワークで利用され、メッセージのサイズを減らし、ネットワーク・パフォーマンスを増加させている。
【課題を解決するための手段】
【０００６】
これら実施形態の多くに従って、通信ネットワークにおける情報を圧縮するためのシステム及び方法が提供される。プロキシは接続アドレスを有するモバイル・ユニットからの登録メッセージを受信する。前記プロキシは、コンタクト・エイリアスを含む少なくとも一つの信号メッセージを傍受し、且つ区別し、前記コンタクト・エイリアスを含む信号メッセージを圧縮する。前記プロキシは前記圧縮された信号メッセージの該コンタクト・エイリアスを有するモバイル・ユニットへルーティングすることがある。別の方法として、呼が前記モバイル・ユニット宛てのセルラー呼であると判断されたときに、プロキシは圧縮されたメッセージのモバイル・ユニットへのレガシーなセルラーネットワークへ直接ルーティングすることがある。
【０００７】
他の好ましいアプローチに従って、ネットワークにおいて通信を容易にするためのプロキシは信号化レジスタ、エイリアス・レジスタ、及びコントローラを含んでいる。装置はモバイル・ユニットからインターフェイスを通じて登録メッセージを受信することがある。前記登録メッセージはコンタクト・アドレスを含む。前記コントローラは、エイリアス・レジスタに保存されているコンタクト・エイリアスに、前記コンタクト・アドレスを変換することがある。前記コントローラは前記コンタクト・エイリアスとともに前記コンタクト・アドレスを置き換える。こうして、前記コンタクト・エイリアスを含む信号メッセージは前記モバイル・ユニットへというよりは、前記プロキシへルーティングしようとする。
【０００８】
前記コントローラは無線で送信されるメッセージを監視することがある。該コントローラが前記コンタクト・エイリアスを含む信号メッセージを検出するとき、前記メッセージが圧縮され該コンタクト・エイリアスに関するモバイル・ユニットへ送信される前記信号化レジスタに、前記メッセージは置かれる。前記コントローラは前記信号メッセージ全体を圧縮するか、若しくは該信号メッセージの一部分を解凍し、且つ前記解凍された部分を圧縮することがある。
【０００９】
有利なことに、上記実施形態は圧縮されたメッセージが信号メッセージから生成され、モバイル・ユニットに送信されることを可能にする。信号メッセージの数は多くの場合大きいので、呼はモバイル・ユニットによりよりすばやく送信及び受信され、バンド幅の利用もより少なくなり、遅延も最小化される。無線インターフェイスの混雑度もまた低減される。
【発明を実施するための最良の形態】
【００１０】
図の要素が単純性及び明確性を意図して描かれており、縮尺に注目する必要を有しないことを、当業者は理解するであろう。例えば、図中のいくつかの構成物の寸法は、本発明の様々な実施形態の理解を改善する助けになるために、他の構成物に比べて誇張されていることがある。同様に、共通の要素であるがよく理解されていて、商業的に実行可能によく利用されている又は必要であるものは、一般的には記述されず、本発明の様々な実施形態の眺望をわかりにくくしないようにしている。
【００１１】
最初に図１を参照すると、ネットワークにおける情報を圧縮するためのシステムは、モバイル・ユニット１０２、ベース送信ステーション（ＢＴＳ）、モバイル・スイッチ・センタ（ＭＳＣ）１０６、パケット・データ供給ノード（ＰＤＳＮ）１０８、ＳＩＰプロキシ１１０、ユーザ装置１１２、ＳＩＰサーバ１１６、パケット・データ・ネットワーク（ＰＤＮ）１１８、ＳＩＰレジスタ１２０、及び位置データベース１２２を含む。無線ネットワーク１０１はモバイル・ユニット１０２、前記ＢＴＳ１０４、前記ＭＳＣ１０６、及びＰＤＳＮ１０８を含む。前記システムはホーム位置レジスタ、訪問位置レジスタ、及び認証、許可、アカウンティング（ＡＡＡ: Authentication, Authorization and Accounting）のような一つ以上の他のデータベース（表示していない）を含むであろう。
【００１２】
前記モバイル・ユニット１０２は前記ＢＴＳ１０４に通信可能な状態で接続されている。該ＢＴＳ１０４は前記ＭＳＣ１０６及び前記ＰＤＳＮ１０８に接続されている。該ＰＤＳＮ１０８は前記ＰＤＮ１１８に接続されている。該ＰＤＮ１１８は前記ＳＩＰレジスタ１２０、前記ＳＩＰプロキシ１１０、前記ＳＩＰサーバ１１６、及び前記ユーザ装置１１２に接続されている。該ＳＩＰレジスタ１２０は前記位置データベース１２２に接続されている。前記ＳＩＰプロキシ１１０、前記ＳＩＰレジスタ１２０、及び前記ＳＩＰサーバ１１６はＳＩＰメッセージを処理するために配置されているが、いかなる信号化プロトコルに従ういかなるタイプのメッセージも利用されてもよく、ここに記載された実施例はＳＩＰに従うメッセージに制限されないことを理解されるであろう。前記ＳＩＰプロキシ１１０は異なる位置に配置されることも可能であることも理解されるであろう。特に、該ＳＩＰプロキシ１１０は前記ＢＳＴ１０４と共に配置されることも可能である。
【００１３】
前記モバイル・ユニット１０２は任意のタイプのモバイル通信装置である。ある好ましいアプローチでは、該モバイル・ユニット１０２はセルラーフォンである。しかし、該モバイル・ユニット１０２はページャ、情報携帯端末、又は任意のタイプの情報を、無線を使って送信及び／又は受信する携帯端末であってもよい。該モバイル・ユニット１０２は無線パケット・データをサポートすることが好ましい。
【００１４】
前記ベース送信ステーション（ＢＴＳ）１０４は、前記モバイル・ユニット１０２へメッセージを送信し、該モバイル・ユニット１０２からメッセージを受信する。ある例において、前記ＢＴＳ１０４は該モバイル・ユニット１０２から通信を受信し、且つ該モバイル・ユニット１０２に通信を送信するための無線受信機及び送信機を含む。前記ＢＴＳ１０４は、該モバイル・ユニット１０２が備える前記無線ネットワーク１０１のリソースを管理するベース・ステーション・コントローラをも含んでもよい。該ベース・ステーション・コントローラは当業者にはよく知られている前記モバイル・ユニットに対する別のサービスをも提供してもよい。
【００１５】
前記モバイル・スイッチ・センタ（ＭＳＣ）１０６は、前記無線ネットワーク１０１に対する呼制御機能を提供する。例えば、該ＭＳＣ１０６は該無線ネットワークにおいて切り替え機能及び呼制御の管理を提供してもよい。該ＭＳＣ１０６は前記ＰＤＳＮ１０８を通じた前記ＰＤＮ１１８との接続の確立及び保守をも制御してよい。前記ＭＳＣの機能性は一般パケット無線サービス供給ゲートウェイ対応ノード（ＧＰＲＳ  ＳＧＳＮ: General Packet Radio Service Serving Gateway Support Node）又は汎地上波無線アクセスネットワーク（ＵＴＲＡＮ: Universal Terrestrial Radio Access Network）ＳＧＳＮによって提供されてもよい。
【００１６】
前記パケット・データ供給ノード（ＰＤＳＮ）１０８は前記無線ネットワーク１０１及び前記ＰＤＮ１１８間の接続機器である。例えば、該ＰＤＳＮ１０８はＩＰパケットを該無線ネットワーク１０１及び該ＰＤＮ１０８間で交換する。該ＰＤＳＮ１０８は加入者課金及び認証機能をも提供してもよい。前記ＯＤＳＮ機能性はＧＰＲＳ  ＧＧＳＮ又はＵＴＲＡＮ  ＧＧＳＮによっても提供されてもよい。
【００１７】
前記ＳＩＰプロキシ１１０はコンタクト・エイリアスの生成に関する機能を実行する。ある例において、該プロキシ１１０は、ＲＥＧＩＳＴＥＲメッセージ中の前記モバイル・ユニット１０２のコンタクト・アドレスを、該モバイル・ユニット１０２から標準的な方法で受信する。前記コンタクト・アドレスは、どのように又はどこに前記モバイル・ユニットが接続可能又は到達可能かを記載する。前記コンタクト・アドレスは、一般的には前記モバイル・ユニットの現在のＩＰアドレスを含むが、該モバイル・ユニットのモバイル・ステーション集積サービス・デジタル・ネットワーク（ＭＳＩＳＤＮ: Mobile Station Integrated Service Digital Network）又は電話番号も含むことができる。
【００１８】
本発明のある実施形態において、前記プロキシ１１０は前記コンタクト・アドレスに対するコンタクト・エイリアスを作成する。前記プロキシ１１０は次に前記モバイル・ユニット１０２から受信した前記ＲＥＧＩＳＴＥＲメッセージ中の前記コンタクト・アドレスを前記コンタクト・エイリアスに置き換え、こうして変形されたＲＥＧＩＳＴＥＲメッセージを前記レジスタ１２０に標準的な方法で転送する。前記コンタクト・エイリアスは前記データベース１２２にあるレジスタに保存し得る。これとは別に、前記モバイル・ユニット１０２は前記コンタクト・エイリアス自身を生成し、前記コンタクト・アドレスの代わりに前記ＲＥＧＩＳＴＥＲメッセージに挿入し、変形されたＲＥＧＩＳＴＥＲメッセージを前記プロキシ１１０に転送し、そして前記レジスタ１２０へ送信し得る。このことは、前記モバイル・ユニットが前記プロキシ１１０のホスト名を、例えば設定を通じて知っていることを仮定している。
【００１９】
前記ＳＩＰプロキシは、前記モバイル・ユニット１０２の前記コンタクト・エイリアスを含んでいるＳＩＰメッセージに対して、ネットワーク・トラフィックをも監視する。もし前記モバイル・ユニット１０２の前記コンタクト・エイリアスがあるアプローチでＳＩＰメッセージ中に検出されたら、該ＳＩＰプロキシ１１０は前記ＳＩＰメッセージ上で圧縮を実行し、前記圧縮されたＳＩＰメッセージを前記モバイル・ユニット１０２に転送する。他のアプローチにおいて、前記メッセージ又は前記メッセージの一部は非ＳＩＰメッセージに圧縮され得る。それに加えて、前記プロキシ１１０はＳＩＰのレコード・ルート(Record-Route)ヘッダを前記圧縮されたメッセージ及びＳＩＰ  ＩＮＶＩＴＥメッセージの応答に挿入することがあり、セッションのリマインダに対する全てのメッセージが該プロキシ１１０へルーティングされ、前記モバイル・ユニット１０２へ転送される前に圧縮される。
【００２０】
前記ＳＩＰプロキシ１１０は、同様にもう一つの機能を実行してもよい。例えば、前記ＳＩＰプロキシ１１０は無線要求を解凍し、前記モバイル・ユニット１０２から受信したメッセージに応答して、標準のＳＩＰメッセージを得て、前記メッセージを前記ＳＩＰサーバ１１６に転送してもよい。この場合、前記モバイル・ユニット１０２は前記コンタクト・エイリアス自身を生成し、前記コンタクト・アドレスに代わって前記圧縮されたメッセージに該コンタクト・エイリアスを挿入し、このコンタクト・エイリアスを前記プロキシ１１０に転送してもよい。それに加えて、前記プロキシ１１０はＳＩＰメッセージ圧縮を実行するために、存在及び能力をブロードキャスト又は通知することがある。これは、既存のブロードキャスト・メッセージ又は新しいブロードキャスト・メッセージの形態であってもよい。
【００２１】
無線インターフェイスはプロキシ１１０及びモバイル・ユニット１０２の間にも提供されることがある。前記無線インターフェイスは前記ＳＩＰメッセージの速度を上げるために利用し得る。この場合、プロキシ１１０は前記無線システムに直接接続されていて、前記プロキシ１１０が無線ネットワーク１０１を横断する有線トラフィック・チャンネルを確立する必要なしにモバイル・ユニットに送信及びモバイル・ユニットから受信することを可能にする。ある例において、前記プロキシ１０１が前記ＢＴＳ１０４と共に置かれていれば上記のことは特に適切であり、前記プロキシ１１０は該ＢＴＳ１０４及び前記モバイル・ユニット１０２間のレガシーな無線信号化チャンネルを利用し、レガシーなセルラーページおよびレガシーなセルラー呼設定メッセージを通じてモバイル・ユニット１０２に警報を出すことがある。このようなレガシーなメッセージは、パケット・データ・チャンネルではない、こうしてレガシーなセルラーチャンネルで送信されることが可能である。故に、この例において、ＳＩＰサーバ１１６は標準のＳＩＰメッセージを利用して、ＳＩＰに対応していないモバイル・ユニット１０２又はＩＰプロトコルに対応するパケット・データ・チャンネルを有しないモバイル・ユニット１０２と通信することができる。
【００２２】
前記ユーザ装置１１２はユーザがコンピュータ・ネットワークの状態を監視することができる任意の装置である。例えば、ユーザはシステム又はネットワーク・パフォーマンスを監視しようとしてもよい。ある有用なアプローチにおいて、前記ユーザ装置１１２はパソコンであってよい。
【００２３】
前記位置データベース１２２は任意のタイプの情報を保存する任意のタイプの保存装置である。それに加えて、前記位置データベース１２２は前記ＳＩＰサーバ１１６により利用され、前記モバイル・ユニット１０２が現在届くことができる位置又はコンタクト・アドレスを判定する情報をも含むことがある。特に、前記位置データベース１２２は、前記ＳＩＰレジスタがモバイル・ユニット１０２の前記現在のコンタクト・アドレスを得るために利用する情報を含むことがある。前記情報は、例えばメッセージのユニバーサル・リソース識別子（ＵＲＩ）を現在のコンタクト・アドレスに変換するために利用される情報を含む。
【００２４】
前記ＳＩＰサーバ１１６は、メモリに保存されたコンピュータの命令を実行するプロセッサとして利用されることがある。前記ＳＩＰサーバ１１６は呼設定機能を実行し、前記呼の目標装置の位置を特定してもよい。ある実施形態において、前記ＳＩＰサーバ１１６はメッセージの宛先の前記ＵＲＩアドレスを利用して、前記レジスタ１２０の助けと共に、宛先が現在位置している前記コンタクト・アドレスを判定する。
【００２５】
前記パケット・データ・ネットワーク（ＰＤＮ）１１８は情報の各パケットを送信することができる、任意のタイプのネットワークである。例えば、前記ネットワークはインターネット又は任意のもう一つのエクストラネットであってもよい。他のタイプのパケット・データ・ネットワークは、例えばローカル・エリア・ネットワークを含むものが可能である。多くの場合、全て又は一部のＰＤＮは前記無線ネットワーク１０１のオペレータによって所有及び運営されているであろう。
【００２６】
前記ＳＩＰレジスタ１２０はＳＩＰ登録要求を処理する任意の装置である。ある例では、前記ＳＩＰレジスタ１２０は保存及びモバイル・ユニットに対するコンタクト情報をコンタクト・エイリアスに関連付けることによってＳＩＰ  ＲＥＧＩＳＴＥＲメッセージを処理する。ＳＩＰメッセージが特殊なＵＲＩを有して傍受されたときは、前記ＳＩＰレジスタ１２０は前記ＵＲＩに対する前記コンタクト情報を判断するために参照される。
【００２７】
図１のシステムの動作の一例として、前記モバイル・ユニット１０２は前記プロキシ１１０にＲＥＧＩＳＴＥＲメッセージを送信する。この技術分野で知られているように、前記メッセージは前記ＢＴＳ１０４で受信され、前記ＳＩＰプロキシ１１０に前記ＰＤＳＮ１０８及び前記ＰＤＮ１１８を通じて送信される。
【００２８】
前記ＲＥＧＩＳＴＥＲメッセージは前記モバイル・ユニット１０２に対するＵＲＩ宛先アドレス及びコンタクト・アドレスを含む。前記ＳＩＰプロキシ１１０は該コンタクト・アドレスを取得し、該コンタクト・アドレスに基づいてコンタクト・エイリアスを形成する。例えば、オリジナルのコンタクトが「ｓｉｐ：ＳＵ＠１．２．３．４」で、１．２．３．４が前記モバイル・ユニット１０２の現在のＩＰアドレスであり、且つ前記ＳＩＰプロキシ１１０によって作られる前記コンタクト・エイリアスは、「ｌｏｃａｌ．ｓｐｒｉｎｔ．ｃｏｍ」が該ＳＩＰプロキシ１１０のアドレスであるとき「ｓｉｐ：ＳＵ％１．２．３．４＠ｌｏｃａｌ．ｓｐｒｉｎｔ．ｃｏｍ」であり得る。このコンタクト・エイリアスは前記ＳＩＰレジスタ１２０に前記ＰＤＮ１１８を通じて送信される。従って、例えば前記モバイル・ユニット１０２の前記ＵＲＩ宛先アドレスへ向けられたＳＩＰ  ＩＮＶＩＴＥメッセージのような全てのＳＩＰメッセージは前記モバイル・ユニット１０２の前記コンタクト・エイリアスの代わりに前記ＳＩＰプロキシ１１０を指す前記コンタクト・エイリアスにルーティングされるであろう。
【００２９】
前記ＳＩＰプロキシ１１０は前記モバイル・ユニット１０２によって提供されるオリジナルのコンタクト・アドレス情報を含む前記コンタクト・エイリアスを形成することが好ましい。前記コンタクト・エイリアスを形成するとき、技術的な理由から、オリジナルの「＠」は「％」又は「％４０」にエスケープされる。従って、前記ＳＩＰレジスタ１２０はモバイル・ユニットに関連する前記コンタクト・エイリアス情報及び該モバイル・ユニットに関連する前記コンタクト・アドレス情報の両方をしっかりと保存するであろう。前記プロキシは前記コンタクト・アドレスをしっかりと保存する必要は無いが、コンタクト・エイリアスから後に導くことができる。コンタクト・エイリアスのもう一つの形式も可能で、これらの形式のいくつかは前記プロキシ１１０にしっかりとした保存領域を要求することがあり、該コンタクト・エイリアスから前記コンタクト・エイリアスを導くことができる。例えば、前記プロキシ１１０は「ＭＵ１０００＠ｌｏｃａｌ．ｓｐｒｉｎｔ．ｃｏｍ」なるコンタクト・エイリアスを利用することができ、前記モバイル・ユニット、「ＭＵ１０００」という語(text)、及び該モバイル・ユニットのコンタクト・アドレス「ｓｉｐ：ＳＵ＠１．２．３．４」間の関係をしっかりと保存する。両方の場合において、前記コンタクト・エイリアスが構成され、該コンタクト・エイリアスに送信されたＳＩＰ  ＩＮＶＩＴＥメッセージは前記プロキシに最初に向けられる。この場合、前記ホスト名ｌｏｃａｌ．ｓｐｒｉｎｔ．ｃｏｍの利用が果たされる。
【００３０】
前記モバイル・ユニット１０２は他のモバイル・ユニットからのＩＮＶＩＴＥメッセージを受信することがある。前記プロキシ１１０は該ＩＮＶＩＴＥメッセージを傍受してもよく、前記メッセージが前記コンタクト・エイリアスを含むか否かを判定する。次に、前記ＳＩＰプロキシ１１０は前記コンタクト・エイリアスを前記コンタクト・アドレスに変換し、変換後のＩＮＶＩＴＥメッセージを圧縮する。次に前記圧縮されたメッセージは前記モバイル・ユニット１０２に送信される。別の方法として、前記ＩＮＶＩＴＥメッセージの一部が圧縮されてもよく、これら圧縮された部分は、レガシーなセルラーページ及びレガシーなセルラー呼開始メッセージのような非ＳＩＰメッセージで前記モバイル・ユニット１０２に送信されてもよい。このようにして、圧縮されたメッセージは前記プロキシ１１０において信号メッセージから生成され、モバイル・ユニット１０２に送信される。信号メッセージの数は大きくなってもいいので、呼はモバイル・ユニット１０２によってより早く、最低限の遅延で送信及び受信される。ネットワークの混雑は前記ＢＴＳ１０４及び前記ＭＳ１０２間の無線リンクをも低減させる。
【００３１】
図２を参照すると、ネットワーク中で圧縮されたメッセージを送信する方法の例が記載されている。ステップ２０２において、プロキシはモバイル・ユニットからの登録メッセージを受信する。このメッセージは前記発信源であるモバイル・ユニットの前記コンタクト・アドレスを含む。前記登録メッセージはＳＩＰ  ＲＥＧＩＳＴＥＲメッセージ又はレガシーなセルラー登録メッセージである可能性がある。
【００３２】
ステップ２０４において、前記プロキシは前記モバイル・ユニット及び前記コンタクト・アドレスを関連付けるコンタクト・エイリアスを確立する。いかなる識別名を利用してもよい。しかし、この出願の他の場所で説明したように、ある好ましいアプローチにおいて、前記コンタクト・エイリアス名は発信源モバイル・ユニットの前記コンタクト・アドレスと協調する。例えば、発信源のコンタクトが「ｓｉｐ：ＳＵ＠１．２．３．４」のとき、該コンタクト・エイリアスは、「ｌｏｃａｌ．ｓｐｒｉｎｔ．ｃｏｍ」が前記プロキシサーバのホスト名であるとき、「ｓｉｐ：ＳＵ％１．２．３．４＠ｌｏｃａｌ．ｓｐｒｉｎｔ．ｃｏｍ」であり得る。
【００３３】
ステップ２０６において、前記プロキシは前記コンタクト・エイリアスを含む少なくとも一つのＳＩＰメッセージを傍受し識別する。例えば、直前の例を利用して、前記プロキシは該コンタクト・エイリアス「ｓｉｐ：ＳＵ％１．２．３．４＠ｌｏｃａｌ．ｓｐｒｉｎｔ．ｃｏｍ」を識別する。該プロキシは当業者によく知られている技術を利用してＳＩＰメッセージを監視及び傍受してもよい。監視及び傍受は前記コンタクト・アドレスの変換に先行することにより非常に単純化され、前記モバイル・ユニット１０２に対する全ての後のＩＮＶＩＴＥメッセージの前記プロキシ１１０へのルーティングを引き起こす。
【００３４】
ステップ２０８において、プロキシは前記コンタクト・エイリアスを含む少なくとも一つのＳＩＰメッセージを圧縮する。ある例において、前記プロキシはＳＩＰメッセージから情報を解凍、前記情報を圧縮、及び宛先のモバイル・ユニットに前記情報を送信する。前記モバイル・ユニットに送信される前記圧縮されたメッセージは、ＳＩＰメッセージ又は非ＳＩＰメッセージであってもよい。
【００３５】
ステップ２１０において、前記プロキシは前記圧縮されたメッセージを前記モバイル・ユニットにルーティングする。例えば、前記コンタクト・エイリアス「ｓｉｐ：ＳＵ％１．２．３．４＠ｌｏｃａｌ．ｓｐｒｉｎｔ．ｃｏｍ」がコンタクト・アドレス「ｓｉｐ：ＳＵ＠１．２．３．４」に関連すると前記プロキシが判断すると、前記プロキシは圧縮されたメッセージをＩＰアドレスが１．２．３．４であるコンタクト・アドレスを有する前記モバイル・ユニットにルーティングする。
【００３６】
今度は図３を参照すると、ネットワークにおける圧縮された情報を送信するためのシステムが記載されている。前記システムは前記プロキシ１１０に含まれている。前記システムはコントローラ３０６、エイリアス・レジスタ３０２、ＳＩＰレジスタ３０４、及びインターフェイス３１０及び３０８を含む。前記ＳＩＰレジスタは前記コントローラ３０６に接続されている。前記コントローラ３０６は前記エイリアス・レジスタ３０２及び前記インターフェイス３０８と接続されている。
【００３７】
前記エイリアス・レジスタ３０２は任意のタイプの情報を保存する能力がある、任意のタイプのメモリ保存装置である。ある例において、前記エイリアス・レジスタ３０２はモバイル・ユニットに関連するコンタクト・エイリアスを保存する。前記コンタクト・エイリアスは前記コントローラ３０６によって生成されることがある。
【００３８】
前記ＳＩＰレジスタ３０４は任意のタイプの情報を保存する能力がある任意のタイプのメモリ保存装置である。前記ＳＩＰレジスタ３０４は前記インターフェイス３０８，３１０を通じて受信したＳＩＰメッセージを保存する。前記メッセージは、例えば該メッセージに含まれる前記モバイル・ユニットに対するコンタクト・エイリアスを有することによって、該モバイル・ユニット１０２へ宛先が決まったとして区別可能である。
【００３９】
前記コントローラ３０６はメモリの保存されたコンピュータの命令を実行する、任意のタイプの処理機である。前記コントローラ３０６は前記ＳＩＰレジスタ３０４に保存されたメッセージを圧縮し、該圧縮されたＳＩＰメッセージをインターフェイス３０８に移動する。
【００４０】
前記インターフェイス３０８は前記コントローラから受け取り、宛て先へこれらのメッセージを送信する。ある例では、圧縮されたメッセージは前記インターフェイス３０８に移動され、宛先のモバイル・ユニットに送信される。前記送信は無線、コンピュータ・ネットワーク、又は任意の他タイプの媒体を通じて行われることが許される。
【００４１】
前記インターフェイス３１０はＳＩＰメッセージを受信する。例えば、前記インターフェイス３１０は受信機を含んでいてよく、該受信機はＳＩＰメッセージと同様に、前記エイリアス・レジスタ３０２に保存されている、特定のエイリアスに対する前記ＳＩＰメッセージを監視するプロセッサでもある。前記ＳＩＰメッセージが圧縮されていなければ、前記インターフェイス１０８に転送され得る。
【００４２】
ＳＩＰ  ＲＥＧＩＳＴＥＲメッセージ又はＳＩＰ  ＩＮＶＩＴＥメッセージのような前記モバイル・ユニット１０２により発信されたＳＩＰメッセージは、インターフェイス３０８で受信されてもよく、コンタクト・アドレスを含んでいてもよい。前記モバイルがすでにコンタクト・エイリアスに載っていなければ、前記コントローラ３０６は前記コンタクト・アドレスに対応する該コンタクト・エイリアスを生成し、前記エイリアス・レジスタ３０２に該コンタクト・エイリアスを保存してもよい。前記コントローラは前記対応するコンタクト・エイリアスを有する前記ＳＩＰメッセージの中の前記コンタクト・アドレスを置き換え、変形されたＳＩＰメッセージを前記インターフェイス３１０に送信する。前記インターフェイス３１０は変形されたメッセージを、前記ＰＤＮ１１８を通じてサーバに転送する。前記サーバはＳＩＰサーバ１１６又はＳＩＰレジスタ１２２であることが可能である。
【００４３】
前記インターフェイス３１０は次に更に別のＳＩＰメッセージを受信し、これら各ＳＩＰメッセージを前記ＳＩＰレジスタ３０４に保存してもよい。前記追加のメッセージはＳＩＰ  ＩＮＶＩＴＥメッセージを含んでいてよい。前記コントローラ３０６はコンタクト・エイリアスがメッセージに含まれるか否かを判定する。もしコンタクト・エイリアスが前記メッセージに含まれていれば、前記コントローラ３０６はコンタクト・エイリアスを対応するコンタクト・アドレス、圧縮された前記メッセージ、前記メッセージの一部に置き換え、圧縮されたメッセージを前記インターフェイス３０８に送信する。前記インターフェイス３００は前記圧縮されたメッセージを前記モバイル・ユニットに送信する。
【００４４】
前記インターフェイス３０８は更に別のＳＩＰメッセージも受信することがあり、該メッセージは、前記モバイル・ユニットへ送った、又は前記モバイル・ユニットから送信されたＩＮＶＩＴＥの結果として該モバイル・ユニット１０２によって送信される。前記メッセージはＳＩＰ  ＯＫ、ＳＩＰ  ＯＰＴＩＯＮＳ、別のＳＩＰ  ＩＮＶＩＴＥ  又はＳＩＰ  ＢＹＥであり得、且つコンタクト・アドレスを含んでもよい。前記コントローラ３０６は前記ＳＩＰメッセージを前記ＳＩＰレジスタ３０４に保存する。前記コントローラ３０６はコンタクト・アドレスが前記ＳＩＰメッセージに含まれているか否かを判定する。もしコンタクト・アドレスがＳＩＰメッセージに含まれていれば、前記コントローラ３０６は対応するコンタクト・エイリアスを有する前記コンタクト・アドレスに置き換え、前記変形されたＳＩＰメッセージを前記インターフェイス３１０に送信する。前記インターフェイス３１０は該変形されたメッセージを、前記ＰＤＮ１１８を通じてサーバに転送する。
【００４５】
シグナル・コールは複数のＳＩＰメッセージをセットアップ及び制御のために利用することができる。この理由により、前記システムは前記呼（コール）の継続期間に対する呼に関する圧縮表、コール状態、又は圧縮辞書を保存するために利用される追加の圧縮情報レジスタ３１２を含んでもよい。追加で、前記プロキシ１１０は、コンタクト・アドレス及びコンタクト・エイリアス間の関係、又は前記モバイル・ユニット、該モバイル・ユニットに対する認証及び許可情報間の関係だけでなく、各モバイル・ユニット１０２によってサポートされている圧縮又は解凍方法についての情報もしっかりと保存してもよい。このような情報は、前記モバイル・ユニットによる前記登録時刻に、前記プロキシ１１０によって得られてよい。
【００４６】
今度は図４を参照すると、ネットワーク内の登録処理のコールフロー図が記載されている。４０２の段階で、ＲＥＧＩＳＴＥＲメッセージがモバイル・ユニットから前記ＳＩＰプロキシに送信される。前記ＲＥＧＩＳＴＥＲメッセージは宛先のＵＲＩアドレス（ｊ＿ｄｏｒｅｎｂｏｓｃｈ＠ｓｐｒｉｎｔ．ｃｏｍ）及びコンタクト情報（ｓｉｐ：ＳＵ＠１．２．３．４）を含む。該ＲＥＧＩＳＴＥＲメッセージはＳＩＰプロトコルに従って形成されてもよい。しかし、他のプロトコルからのほかのメッセージもまた利用されてよいことは理解されるであろう。例えば、前記ＲＥＧＩＳＴＥＲメッセージはレガシーなセルラー登録要求又は位置更新であってもよい。
【００４７】
前記モバイル・ユニットはＳＩＰメッセージを利用してもよく、該メッセージは該モバイル・ユニットが圧縮されたメッセージを処理することを指示する情報、すなわち該モバイル・ユニットが受信した無線ＳＩＰメッセージを解凍することができ、該モバイル・ユニットがメッセージを無線で送信する前に圧縮することができる追加の情報を含んでもよい。例えば、新しい情報は性能ヘッダ(capabilities header)の形式であってもよい。前記ＳＩＰプロキシは全てのＳＩＰメッセージを検査してもよい。前記ＳＩＰプロキシは、モバイル・ユニットがＳＩＰメッセージを圧縮又は解凍できることを示すメッセージを発見したとき、該プロキシは圧縮されてメッセージを該モバイル・ユニットに提供し、且つモ該バイルユニットからのメッセージを解凍する。前記プロキシは次に該モバイル・ユニットに関する追加の情報を受信することがある。前記性能情報は該モバイル・ユニット１０２によってＳＩＰ  ＲＥＧＩＳＴＥＲメッセージ又は、例えば該モバイル・ユニットが呼を開始したときの、呼の開始時に送信されるメッセージで提供されることがある。前記の性能情報は前記ＳＩＰサーバ１１６又は前記ＳＩＰレジスタ１２０によって、登録時に交換される前記ＳＩＰメッセージ４１０の一つで利用できるようにしてもよい。
【００４８】
４０４の段階で、前記プロキシはコンタクト・エイリアスを生成する。好ましいアプローチにおいて、前記コンタクト・エイリアスは前記コンタクト・アドレスと協調する。例えば、生成された該コンタクト・エイリアスは該コンタクト・アドレスｓｉｐ：ＳＵ＠１．２．３．４からｓｉｐ：ＳＵ％１．２．３．４＠ｌｏｃａｌ．ｓｐｒｉｎｔ．ｎｅｔであってもよい。しかし、別の例において、前記コンタクト・エイリアスは前記コンタクト・アドレスに関連する一部の情報しか含まない、若しくはまったく含まなくてもよい。
【００４９】
４０６の段階で、前記プロキシはＳＩＰ  ＲＥＧＩＳＴＥＲメッセージをＳＩＰレジスタ１２０に送信する。前記ＲＥＧＩＳＴＥＲメッセージは今、新しく生成されたコンタクト・エイリアスであるコンタクト・アドレスを含む。
【００５０】
４０８の段階で、前記ＳＩＰレジスタはコンタクト情報を保存する。それに加えて、前記ＳＩＰレジスタは当業者には知られている別のタスクを実行する。例えば、前記ＳＩＰレジスタは宛先モバイル・ユニットの前記コンタクト・アドレスを該宛先モバイル・ユニットのＵＲＩを利用して決めてもよい。
【００５１】
４１０の段階で、オプションで認証情報が前記プロキシと前記モバイル・ユニットの間で渡される。前記認証情報はパスワード情報を含んでいてもよい。該認証情報は前記プロキシによって利用され、前記モバイル・ユニットがメッセージの真の宛先であることを確認する。最終の宛先の区別を保障するために、認証されていない利用者への情報送信は避けられる。
【００５２】
今度は図５を参照すると、ネットワークにおいて圧縮されたメッセージを送信するための処理のコールフロー図が記載されている。５０２の段階で、ＩＮＶＩＴＥメッセージは前記ＳＩＰプロキシでピアユニットから、例えばインターネットから受信される。前記ＩＮＶＩＴＥメッセージは宛先アドレス（ｊ＿ｄｏｒｅｎｂｏｓｈ＠ｓｐｒｉｎｔ．ｃｏｍ）及びモバイル・ユニットに対するコンタクト・エイリアス（ｓｉｐ：ＳＵ％１．２．３．４＠ｌｏｃａｌ．ｓｐｒｉｎｔ．ｎｅｔ）を有する。前記ＩＮＶＩＴＥメッセージはＳＩＰプロトコルに従って形成されてもよい。しかし、別のプロトコルの別のメッセージもまた利用してよいことは理解されるであろう。
【００５３】
５０４の段階で、前記ＳＩＰプロキシは特定のコンタクト・エイリアスに関連する前記コンタクト・アドレスを判定する。例えば、もしコンタクト・エイリアスがｓｉｐ：ＳＵ％１．２．３．４＠ｌｏｃａｌ．ｓｐｒｉｎｔ．ｎｅｔであるとき、前記コンタクト・エイリアスはｓｉｐ：ＳＵ＠１．２．３．４であろう。この判定に対して、前記プロキシ１１０は前記コンタクト・エイリアスの知られた形式を利用してもよい。前記レジスタから得られた情報を利用してもよいし、或いは前記プロキシ１１０自身にしっかりと保存されている情報を利用してもよい。
【００５４】
５０６の段階で、前記プロキシはメッセージのタイプがレガシーなセルラー呼であるか否かを判定し、次にセルラー呼を開始するために利用される前記プロキシはページ及びレガシーなセルラー呼開始メッセージを（無線を使って）送信する。別の例において、もし前記メッセージが標準のパケット・データ接続の開始に関した場合、前記プロキシは無線パケット・データ・ネットワークを通じて、メッセージを送信し、宛先のモバイル・ユニットへのメッセージをルーティングする。
【００５５】
５０６の段階とは別に５０８の段階で、前記プロキシは前記メッセージが無線パケット・データ・ネットワークでＳＩＰセッションを確立することに関連するか否かを判定する。この場合、前記プロキシは前記ＳＩＰ  ＩＮＶＩＴＥメッセージの全て又は一部を圧縮し、該圧縮されたＩＮＶＩＴＥはネットワークを通じて前記モバイル・ユニットに送信される。特に、前記プロキシはヘッダ及び該ＩＮＶＩＴＥメッセージのペイロードの一部を解凍し、呼の一部を前記ネットワークを通じて宛先に送信してもよい。
【００５６】
５１０の段階で、ＳＩＰ  ２００  ＯＫメッセージは接続を確立したがっている前記モバイル・ユニットから受信する。更に別のメッセージが前記ＳＩＰ  ２００  ＯＫ５１０及びＳＩＰプロトコルが利用されていないときに利用される同じような目的を有するほかのタイプのメッセージを先行してもよいことは理解されるであろう。
【００５７】
５１２の段階で、ＳＩＰ  ＡＣＫメッセージはセッションを開始させるための最終的な権限を与えている前記プロキシから送信される。再び、同様の目的を有する別のタイプのメッセージはＳＩＰプロトコルが利用されていないときに利用可能であることに気づくであろう。
【００５８】
５１４の段階で、様々なメッセージがこの技術分野で知られているように交換される。これらは、例えばＳＩＰ発呼メッセージ、ＳＩＰ確認応答メッセージ、ＳＩＰ認証／確認及びデータ・メッセージを含んでよい。別のタイプのメッセージもまたＳＩＰプロトコルが利用されないときに含まれてもよいことに気づくであろう。前記モバイル・ユニット１０２からのいくつかのメッセージは、以前に記載した方法で前記プロキシ１１０によって関連付けられたコンタクト・エイリアスに置き換えられていてもいいモバイルのコンタクト・エイリアスを含んでいてもよい。
【００５９】
従って、前記コンタクト・エイリアスの利用を通じて、前記モバイル・ユニット１０２宛ての前記ＩＮＶＩＴＥメッセージは前記プロキシ１１０によって傍受される。該ＩＮＶＩＴＥメッセージは該プロキシ１１により圧縮され、該モバイル・ユニット１０２に転送される。有利なことに、メッセージ・サイズが減少し、その結果ネットワークの混雑が減少し、ネットワークの効率が増大する。
【００６０】
前記ＩＮＶＩＴＥによって開始された呼に関する前記モバイル・ユニット１０２への後半のメッセージ５１４もまた、前記プロキシによってルーティングされる。これらのメッセージもまた前記モバイル・ユニット１０２に送信される前に前記プロキシ１１０によって圧縮される。前記プロキシに保存された前記コール状態の情報を利用すること、又は該プロキシ１１０にしっかりと保存された別の情報を利用することにより、該プロキシは前記メッセージ１１４のうちのいくらかの送信を避けることができるかもしれない。その代わり、前記プロキシ１１０は前記モバイル・ユニット１０２に代わって応答メッセージを生成し、それをピア又はサーバに送信してもよい。このことは、例えば前記プロキシが前記モバイル・ユニット１０２のパスワードのような認証関連情報をしっかりと保存しているとき、認証要求メッセージについて実行可能である。この場合、前記メッセージの圧縮の結果として、前記モバイル・ユニットにメッセージをルーティングする必要が無くなる。この場合、前記インターフェイス３１０は、前記モバイル・ユニット１０２から送信された、又は該モバイル・ユニット１０２に送信した初期のＩＮＶＩＴＥの結果としてサーバから又はピアからモバイル・ユニットに送信される後半のＳＩＰメッセージを受信する。前記コントローラ３０６は前記ＳＩＰメッセージを前記ＳＩＰレジスタ３０４に保存する。該コントローラ３０６は前記モバイル・ユニットにメッセージを送信する必要の有無を判定する。代わりに、前記プロキシ１１０はプロキシに保存された情報及び前記後半のメッセージから応答ＳＨＩＰメッセージを生成するための前記ＳＩＰレジスタ３０４の情報を利用する。前記プロキシは次に応答ＳＩＰメッセージを前記インターフェイス３１０に送信する。該インターフェイス３１０は前記変形したメッセージを、前記ＯＤＮ１１８を通じて前記サーバ又は前記ピアに転送する。
【００６１】
図６を参照すると、ネットワークにおいて発信源のモバイル・ユニットからピアユニットへの圧縮された情報の送信方法が記載されている。この場合、信号メッセージというよりはむしろデータ・メッセージが圧縮及び送信される。それに加えて、前記モバイル・ユニットは当業者に知られているアルゴリズムを利用してメッセージの圧縮及び解凍を実行することができる。
【００６２】
６０２の段階で、オプションとしてプロキシは前記モバイル・ユニットが圧縮されたメッセージを処理することを示すモバイル・ユニットからの性能情報を受信する。ある例において、前記性能情報は性能ヘッダの形式であってよく、前記モバイル・ユニットが情報を圧縮及び解凍できることを示している。前記性能情報は、前記モバイル・ユニットがメッセージを圧縮及び／又は解凍できるか否かを示すブール・オペレータであってもよい。
【００６３】
６０４の段階で、前記プロキシはＳＩＰメッセージを受信する。前記ＳＩＰメッセージは前記モバイル・ユニット１０２から発信されるＳＩＰ  ＲＥＧＩＳＴＥＲメッセージ又はＳＩＰ  ＩＮＶＩＴＥメッセージであってよい。該ＳＩＰメッセージはセッション記述プロトコル（ＳＤＰ）フィールドを含んでよい。特に、前記プロキシはメッセージ中のコンタクト・アドレスを該コンタクト・アドレスに関するコンタクト・エイリアスに置き換える。
【００６４】
６１０の段階で、次のメッセージが前記発信源のモバイル・ユニットから前記ピアユニットへ（アップ・リンク方向）又は該ピアユニットから該発信源ユニットへ（ダウン・リンク方向）へ行くのかを判定される。
【００６５】
前記メッセージの方向がアップ・リンク方向であれば、６１２の段階でモバイル・ユニットは該メッセージを圧縮する。該メッセージが解凍不可能な装置宛てであった場合、プロキシはメッセージを解凍する。しかし、宛先に解凍能力がある場合、前記プロキシは前記メッセージを解凍する必要は無く、該宛先モバイルに該メッセージを転送する前にプロキシが再圧縮する必要を避ける。前記プロキシはまた、前記メッセージがコンタクト・アドレスを含み、且つ該コンタクト・アドレスに関する前記コンタクト・エイリアスに置き換えるか否かを判定する。前記プロキシ１１０は変形されたメッセージを、前記ＰＤＮ１１８を通じてサーバに転送する。前記サーバはＳＩＰサーバ１１６またはＳＩＰレジスタ１２２である可能性がある。
【００６６】
前記メッセージ送信がダウン・リンク方向で発生した場合、６１４の段階で、前記プロキシは該メッセージを圧縮し、前記モバイル・ユニットは該メッセージを解凍する。この場合、前記メッセージは前記モバイル・ユニットに送信される前に前記プロキシにルーティングされる。従って、全てのＳＩＰメッセージは送信前に圧縮される。無線ネットワークの混雑は低減し、情報送信の速度は増加する。
【００６７】
本発明の特定の実施形態を説明及び記載してきたが、数々の変更及び変形が当業者によってなされ、そして添付した請求の範囲において、本発明の真の精神及び範囲に含まれるこれら全ての変更及び変形を保護することを意図していることに気づくであろう。
【図面の簡単な説明】
【００６８】
【図１】本発明の一実施形態に従うネットワークにおけるメッセージを圧縮するためのシステムのブロック図。
【図２】本発明の一実施形態に従うネットワークにおけるメッセージを圧縮するための方法のフロー図
【図３】本発明の一実施形態に従うプロキシのブロック図。
【図４】本発明の一実施形態に従う登録手続きのフロー図。
【図５】本発明の一実施形態に従うメッセージに対する圧縮処理のコールフロー図。
【図６】本発明の一実施形態に従うメッセージに対する圧縮処理のフロー図。
【図１】
2007520097.tif 000003
【図２】
2007520097.tif 000004
【図３】
2007520097.tif 000005
【図４】
2007520097.tif 000006
【図５】
2007520097.tif 000007
【図６】
2007520097.tif 000008
【国際調査報告】
2007520097.tif 000009